(57)【要約】【課題】足の痛みの手当や疲れを予防し、簡単に装着でき、しかも、貼り剥がしが自由で位置調整が可能で、中敷きの上面のどんな色にも対応でき、洗いを可能にした履き物用フットケアパッドを提供することにある。【解決手段】中敷きの上面に着脱可能に装着できる足の痛みの手当や疲れを予防するべく、２０〜４０°の硬度を有したエラストマーで構成され、前記エラストマーが７５〜９９％の透過率を有し無色透明であり、天然皮革銀面上において０．９５〜１．５の静摩擦係数を有し、前記エラストマーを装着する中敷き又は靴の中底の上面の位置は、足の踵部、土踏まず部、つま先部、足の中央部の何れか１つであることを特徴とする。【選択図】      図１
2004194734.tif 000002
【特許請求の範囲】
【請求項１】
中敷きの上面に着脱可能に装着できる足の痛みの手当や疲れを予防するべく、２０〜４０°の硬度を有したエラストマーで構成されていることを特徴とする履き物用フットケアパッド。
【請求項２】
前記エラストマーが７５〜９９％の透過率を有し無色透明であることを特徴とする請求項１記載の履き物用フットケアパッド。
【請求項３】
前記エラストマーが天然皮革銀面上において０．９５〜１．５の静摩擦係数を有していることを特徴とする請求項１又は２記載の履き物用フットケアパッド。
【請求項４】
前記エラストマーを装着する中敷きの上面の位置は、足の踵部、土踏まず部、つま先部、足の中央部の何れか１つであることを特徴とする請求項１、２、３記載の履き物用フットケアパッド。
【発明の詳細な説明】
【０００１】
【発明の属する技術分野】
この発明は、中敷きの上面に着脱可能に装着できる足の痛みの手当や疲れを予防するための履き物用フットケアパッドに関する。
【０００２】
【従来の技術】
人間の足は、直立時に地面と接触し、全体重を支えると同時に骨と筋肉の適切で柔軟な運動による歩行や運動などを可能にする役割を果たしている。しかしながら、人間の足の中には人間工学的な側面における正常な足の人以外に、多様な形態の非正常な足をした人が存在している。
【０００３】
これらの非正常な足を予防するために、今までに多種多様の中敷き用パッドが開発され使用されている。そして、これらの履き物用パッドの使用方法としては、従来、例えば中敷きの下に各種のラテックスフオーム（スポンジ）からなる各種の色が付いたパッドををもぐり込ませて両面テープで接合して使用されている。
【０００４】
【特許文献１】
特開平１０−１３７２８０号公報（段落番号０００６参照）
【０００５】
【発明が解決しようとする課題】
ところで、上述した従来の中敷き用パッドでは、使い方が大変面倒であった。また、従来の中敷き用パッドを中敷きの上面に付けた場合には、使い勝手が悪く、みっともない、色が変わってしまう、また、おしゃれでないという問題が生じてしまう。
【０００６】
この発明は上述の課題を解決するためになされたもので、その目的は、足の痛みの手当や疲れを予防し、簡単に装着でき、しかも、貼り剥がしが自由で位置調整が可能で、中敷きの上面のどんな色にも対応でき、洗いを可能にした履き物用フットケアパッドを提供することにある。
【０００７】
【課題を解決するための手段】
上記目的を達成するために請求項１によるこの発明の履き物用フットケアパッドは、中敷きの上面に着脱可能に装着できる足の痛みの手当や疲れを予防するべく、２０〜４０°の硬度を有したエラストマーで構成されていることを特徴とするものである。
【０００８】
したがって、２０〜４０°の硬度を有したエラストマーで構成されているから、適度な弾性力で各部の足の痛みの手当がなされると共に足の疲れの予防がなされる。また、足がすべるのが防止される。
【０００９】
請求項２によるこの発明の履き物用フットケアパッドは、請求項１記載の履き物用フットケアパッドにおいて、前記エラストマーが７５〜９９％の透過率を有し無色透明であることを特徴とするものである。
【００１０】
したがって、前記エラストマーが７５〜９９％の透過率を有し無色透明であるから、中敷きの上面のどんな色にも対応がなされると共に見栄えが良くおしゃれである。
【００１１】
請求項３によるこの発明の履き物用フットケアパッドは、請求項１又は２記載の履き物用フットケアパッドにおいて、前記エラストマーが天然皮革銀面上において０．９５〜１．５の静摩擦係数を有していることを特徴とするものである。
【００１２】
したがって、前記エラストマーが天然皮革銀面上において０．９５〜１．５の静摩擦係数を有しているから、エラストマーが中敷きの上面に対して、貼り剥がしが自由で、そのため、位置調整が可能であり、さらに、汚れた場合には洗濯でき、きれいになって再度使用される。
【００１３】
請求項４によるこの発明の履き物用フットケアパッドは、請求項１、２、３記載の履き物用フットケアパッドにおいて、前記エラストマーを装着する中敷きの上面の位置は、足の踵部、土踏まず部、つま先部、足の中央部の何れか１つであることを特徴とするものである。
【００１４】
したがって、前記エラストマーを装着する中敷きの上面の位置は、足の踵部、土踏まず部、つま先部、足の中央部の何れか１つであるから、この足の踵部、土踏まず部、つま先部、足の中央部の何れかにエラストマーが用いられ、対応がなされる。
【００１５】
【発明の実施の形態】
以下、この発明の実施の形態について図面を参照して詳細に説明する。
【００１６】
図１を参照するに、履き物用フットケアパッドとしての例えばヒールパッド１はゲル状特殊素材である例えばスチレン系のエラストマーからなっている。その形状は平面で見て半円部３と矩形部５とが一体化（閉断面馬蹄形）されており、その外周はＵ字状をしたアーチ部７を形成し上方へ盛り上がっている。しかも、図１おいて、半円部３から矩形部５へ向けて徐々に薄くなっている。
【００１７】
前記エラストマーの硬度は２０〜４０°となっている。この硬度は、ＪＩＳ  Ｋ６３０１Ｃ  ＴＹＰＥにより測定されたものである。但し約５ｍｍ厚斜面で行ったものである。そして、２０°未満、また、４０°を越えた硬度では実験の結果から最適な弾性力ではない。また、エラストマーの透過率は７５〜９９％がよい。１．５ｍｍ厚部を例えば分光光度計を使用して測定されたものである。そして、７５％未満の透過率では実験の結果から透明度がなくなり、不適であった。また、エラストマーの静摩擦係数は天然皮革銀面上において０．９５〜１．５を有している。この静摩擦係数はＴＴＰＥ−ＨＥＩＤＯＮを使用して測定されたものである。但し、接触面の面積は約２２７５ｍｍ２で行った。０．９５以下では滑ってしまい不適であった。
【００１８】
図２には履き物用フットケアパッドとしての例えばアーチパッド９が示されている。このアーチパッド９は図１に示したヒールパッド１と同様に、ゲル状特殊素材である例えばスチレン系のエラストマーからなっている。その形状は平面で見て上方へ盛り上がった月形形状部１１と、くの字形状部１３とが一体化されている。そして、月形形状部１１とくの字形状部１３との境界線からくの字形状部１３へ向けて薄くなっている。前記エラストマーの硬度、透過率及び静摩擦係数の値は図１に示したものと同じ値を有している。
【００１９】
図３には履き物用フットケアパッドとしての例えば前敷きパッド１５が示されている。この前敷きパッド１５は図１に示したヒールパッド１と同様に、ゲル状特殊素材である例えばスチレン系のエラストマーからなっている。その形状は平面で見て変形５角形をしており、各角部１７は丸みを帯びている。変形５角形の一辺の中央部１９は窪んでいる。外周部は外側へ向けて薄くなっている。しかも、外周部の内部は格子状の小さな凹部２１が形成されている。前記エラストマーの硬度、透過率及び静摩擦係数の値は図１に示したものと同じ値を有している。
【００２０】
図４には履き物用フットケアパッドとしての例えばヒールウエッジパッド２３が示されている。このヒールウエッジパッド２３は図１に示したヒールパッド１と同様に、ゲル状特殊素材である例えばスチレン系のエラストマーからなっている。その形状は平面で見て半円部２５と矩形部２７とが一体化（閉断面馬蹄形）されており、図４において右から左へ向けて厚さが薄くなるように傾斜されている。前記エラストマーの硬度、透過率及び静摩擦係数の値は図１に示したものと同じ値を有している。
【００２１】
図５には履き物用フットケアパッドとしての例えばペロッティパッド２９が示されている。このペロッティパッド２９は図１に示したヒールパッド１と同様に、ゲル状特殊素材である例えばスチレン系のエラストマーからなっている。その形状は平面で見て雨だれ状の形状をしており、側面断面が変形凸形状をしている。前記エラストマーの硬度、透過率及び静摩擦係数の値は図１に示したものと同じ値を有している。
【００２２】
図６には履き物用フットケアパッドとしての例えばＵ字ヒールパッド３１が示されている。このＵ字ヒールパッド３１は図１に示したヒールパッド１と同様に、ゲル状特殊素材である例えばスチレン系のエラストマーからなっている。その形状は平面で見て左側部３３と右側部３５とが一体化されたＵ字形状部をしており、左側部３３の先端３３Ｓが右側部３５の先端３５Ｓより長くなっている。そして、左側部３３、右側部３５のそれぞれが外側から内側に向けて薄くなっている。前記エラストマーの硬度、透過率及び静摩擦係数の値は図１に示したものと同じ値を有している。
【００２３】
上記の図１に示したヒールパッド１が例えば図７に示されているように、婦人サンダル３７における中敷き３９の上面の踵部４１に接着剤を用いずにそのまま載せるだけで使用される。その結果、歩行時の踵への衝撃を軽減し、足の痛みをやわらげることができる。しかも、中敷きの上で足が滑るのを防ぐことができる。さらに、中敷き３９の汚れ、剥がれを防ぐことができる。
【００２４】
上記の図２に示したアーチパッド９が例えば図８に示されているように、婦人サンダル３７の中敷き３９の上面の土踏まず部４３に接着剤を用いずにそのまま載せるだけで使用される。その結果、足裏を的確にサポートし、扁平足などの変形を予防することができる。しかも、足の疲れをやわらげることができる。さらに、中敷きの上で足が滑るのを防ぐことができる。
【００２５】
上記の図３に示した前敷きパッド１５が例えば図９に示されているように、婦人サンダル３７の中敷き３９の上面のつま先部４５に接着剤を用いずにそのまま載せるだけで使用される。その結果、足裏を的確にサポートし、中敷きの上で足が滑るのを防ぐことができる。また、つま先の痛みを解消することができる。さらに、靴のサイズ調整にも使うことができる。
【００２６】
上記の図４に示したヒールウエッジパッド２３が例えば図１０に示されているように、婦人サンダル３７の中敷き３９の上面の踵部４１に接着剤を用いずにそのまま載せるだけで使用される。その結果、踵を内側に傾かせるウエッジ構造によりＯ脚を予防することができる。そして、左右を逆にすればＸ脚を予防することができる。さらに、歩行時の足の傾きを矯正し、ヒールの片減りを防止することができる。
【００２７】
上記の図５に示したペロッティパッド２９が例えば図１１に示されているように、婦人サンダル３７の中敷き３９の上面の中央部４７（中足骨部）に接着剤を用いずにそのまま載せるだけで使用される。その結果、足裏を的確にサポートし、外反母趾などの骨格の変形を予防することができる。さらに、足裏のタコ、魚の目を予防、緩和することができる。
【００２８】
上記の図６に示したＵ字ヒールパッド３１が例えば図１２に示されているように、婦人サンダル３７の中敷き３９の上面の踵部４１に接着剤を用いずにそのまま載せるだけで使用される。その結果、踵を的確にサポートし、歩行時に踵を安定させることができる。また、踵と周りの角質化を予防することができる。さらに、中敷きの上で足が滑るのを防ぐことができる。
【００２９】
上述した各パッドは２０〜４０°の硬度を有したエラストマーで構成されているから、適度な弾性力で各部の足の痛みの手当を行うことができると共に足の疲れを予防することができる。前記エラストマーが７５〜９９％の透過率を有し無色透明であるから、中敷きの上面のどんな色にも対応することができると共に見栄えが良くおしゃれにすることができる。
【００３０】
前記エラストマーが天然皮革銀面上において０．９５〜１．５の静摩擦係数を有しているから、エラストマーが中敷きの上面に対して、貼り剥がしを自由にでき、そのため、位置調整を可能にすることができ、さらに、汚れた場合には洗濯することができ、きれいになって再度使用することができる。
【００３１】
なお、この発明は前述した実施の形態に限定されることなく、適宜な変更を行うことによりその他の態様で実施し得るものである。本実施の形態では各パッドの使用例として婦人サンダルの中敷きに載せた場合の説明を行ったが、それ以外に中敷き、パンプス、その他の男子用、女子用の靴に使用されることはいうまでもない。
【００３２】
【発明の効果】
以上のごとき発明の実施の形態の説明から理解されるように、請求項１の発明によれば、２０〜４０°の硬度を有したエラストマーで構成されているから、適度な弾性力で各部の足の痛みの手当を行うことができると共に足の疲れを予防することができる。また、足がすべるのを防止することができる。
【００３３】
請求項２の発明によれば、前記エラストマーが７５〜９９％の透過率を有し無色透明であるから、中敷きの上面のどんな色にも対応することができると共に見栄えが良くおしゃれにすることができる。
【００３４】
請求項３の発明によれば、前記エラストマーが天然皮革銀面上において０．９５〜１．５の静摩擦係数を有しているから、エラストマーが中敷きの上面に対して、貼り剥がしを自由にでき、そのため、位置調整を可能することができ、さらに、汚れた場合には洗濯することができ、きれいになって再度使用することができる。
【００３５】
請求項４の発明によれば、前記エラストマーを装着する中敷きの上面の位置は、足の踵部、土踏まず部、つま先部、足の中央部の何れか１つであるから、この足の踵部、土踏まず部、つま先部、足の中央部の何れにもエラストマーを用いることができ、対応することができる。
【図面の簡単な説明】
【図１】この発明のヒール部にヒールパッドとして使用される履き物用フットケアパッドの斜視図である。
【図２】この発明の土踏まず部にアーチパッドとして使用される履き物用フットケアパッドの斜視図である。
【図３】この発明のつま先部に前敷きパッドとして使用される履き物用フットケアパッドの斜視図である。
【図４】この発明のヒールウエッジ部にヒールウエッジパッドとして使用される履き物用フットケアパッドの斜視図である。
【図５】この発明の足の中央部にペロッティパッドとして使用される履き物用フットケアパッドの斜視図である。
【図６】この発明のヒール部にＵ字ヒールパッドとして使用される履き物用フットケアパッドの斜視図である。
【図７】図１のヒールパッドを婦人サンダルにおける中底のヒール部の上面に付けた斜視図である。
【図８】図２のアーチパッドを婦人サンダルにおける中底の土踏まず部の上面に付けた斜視図である。
【図９】図３の前敷きパッドを婦人サンダルにおける中底のつま先部の上面に付けた斜視図である。
【図１０】図４のヒールウエッジパッドを婦人サンダルにおける中底のヒールウエッジ部の上面に付けた斜視図である。
【図１１】図５のペロッティパッドを婦人サンダルにおける中底の足の中央部の上面に付けた斜視図である。
【図１２】図６のＵ字ヒールパッドを婦人サンダルにおける中底のヒール部の上面に付けた斜視図である。
【符号の説明】
１…ヒールパッド（履き物用フットケアパッド）
３…半円部
５…矩形部
７…アーチ部
９…アーチパッド（履き物用フットケアパッド）
１１…月形形状部
１３…字形状部
１５…前敷きパッド（履き物用フットケアパッド）
１７…角部
１９…中央部
２１…凹部
２３…ヒールウエッジパッド（履き物用フットケアパッド）
２５…半円部
２７…矩形部
２９…ペロッティパッド（履き物用フットケアパッド）
３１…Ｕ字ヒールパッド（履き物用フットケアパッド）
３３…左側部
３５…右側部
３７…婦人サンダル
３９…中敷き
４１…踵部
４３…土踏まず部
４５…つま先部
４７…中央部（中足骨部）
【図１】
2004194734.tif 000003
【図２】
2004194734.tif 000004
【図３】
2004194734.tif 000005
【図４】
2004194734.tif 000006
【図５】
2004194734.tif 000007
【図６】
2004194734.tif 000008
【図７】
2004194734.tif 000009
【図８】
2004194734.tif 000010
【図９】
2004194734.tif 000011
【図１０】
2004194734.tif 000012
【図１１】
2004194734.tif 000013
【図１２】
2004194734.tif 000014